(57)【要約】【課題】安全装置の短絡が不要で、通常の走行範囲で試験ができるとともに、長尺物でも可燃物でもなく、着脱が簡単で取り扱いが容易なエレベータ用緩衝器の復帰試験装置を得る。【解決手段】エレベータのかご１と、つり合いおもり３と、かご及びつり合いおもりを吊り下げて、両者を互いに逆方向に昇降移動させる主ロープ７と、かごの下部とつり合いおもりの下部との間に連結され、かごの昇降移動に伴う主ロープの重量アンバランスを補償するつり合いロープ１２とが設けられたエレベータ用緩衝器の復帰試験装置１４であって、緩衝器１１の復帰試験時につり合いロープに着脱自在に取り付けられる取付部１７と、取付部に設けられ、緩衝器の復帰試験時にかごの通常走行範囲内で下降して緩衝器を上から圧縮する圧縮片１６と、取付部をつり合いロープに着脱自在に取り付けるための取付手段１９とを備える。【選択図】図４
2010247942.tif 000002
【特許請求の範囲】
【請求項１】
エレベータのかごと、つり合いおもりと、前記かご及びつり合いおもりを吊り下げて、両者を互いに逆方向に昇降移動させる主ロープと、前記かごの下部と前記つり合いおもりの下部との間に連結され、前記かごの昇降移動に伴う主ロープの重量アンバランスを補償するつり合いロープとが設けられたエレベータ用緩衝器の復帰試験装置であって、
前記緩衝器の復帰試験時に前記つり合いロープに着脱自在に取り付けられる取付部と、
前記取付部に設けられ、前記緩衝器の復帰試験時に前記かごの通常走行範囲内で下降して前記緩衝器を上から圧縮する圧縮片と、
前記取付部を前記つり合いロープに着脱自在に取り付けるための取付手段と、
を備えたことを特徴とするエレベータ用緩衝器の復帰試験装置。
【請求項２】
取付部は、つり合いロープが配設される方向と平行な垂直面部と、前記垂直面部の両側からつり合いロープ側に折り曲げられ、前記つり合いロープを内側に収容する両側面部と、前記両側面部の反圧縮片側に互いに対向して設けられた当て板挿入孔とから構成され、取付手段は、前記当て板挿入孔に差し込まれ、前記つり合いロープの反圧縮片側に当接される当て板であることを特徴とする請求項１記載のエレベータ用緩衝器の復帰試験装置。
【請求項３】
垂直面部の背面中央部に、複数本のつり合いロープを左右均等に振り分ける仕切り板を設けたことを特徴とする請求項２記載のエレベータ用緩衝器の復帰試験装置。
【請求項４】
垂直面部の背面のつり合いロープに当接する部分には弾性体を設けたことを特徴とする請求項２又は請求項３記載のエレベータ用緩衝器の復帰試験装置。
【請求項５】
当て板のつり合いロープに当接する部分には弾性体を設けたことを特徴とする請求項２〜請求項４のいずれかに記載のエレベータ用緩衝器の復帰試験装置。
【請求項６】
圧縮片は、取付部の垂直面部に水平方向に突出して支持され、緩衝器の復帰試験時に緩衝器の頭部に接触して上から圧縮する平坦面部と、前記平坦面部の両側から下向きに折り曲げられ、前記緩衝器の直径と同等の内幅寸法を有して前記緩衝器の頭部を内側に収容する両側面部とから構成されたことを特徴とする請求項１〜請求項５のいずれかに記載のエレベータ用緩衝器の復帰試験装置。
【発明の詳細な説明】
【技術分野】
【０００１】
この発明は、エレベータ用緩衝器の復帰試験装置に関するものである。
【背景技術】
【０００２】
従来、エレベータ用緩衝器の復帰試験装置においては、バッファプランジャーの復帰時間確認のために、安全装置を短絡して、かごやつり合いおもりでバッファプランジャーを圧縮する方法や、バッファプランジャーとかごとの間に長尺物からなる角材等を介在させて、通常の走行範囲内で圧縮する方法などで確認している（例えば、特許文献１参照）。
【先行技術文献】
【特許文献】
【０００３】
【特許文献１】特開平９−１９４１５５号公報
【発明の概要】
【発明が解決しようとする課題】
【０００４】
従来の安全装置を短絡する方法では、普段は通らないようなガイドレールの個所を昇降体が通過するためガイドレールのその個所は塵埃等で汚れているので、故障の誘発の原因となったり、安全装置の復帰忘れの問題がある。また、角材を用いる従来技術では、角材が長尺物であることや、可燃物であることにより、その取り扱いや保管場所等の問題がある。特に、高速エレベータ用緩衝器では、バッファストロークが長くなるため、使用する角材も相当の長さになってしまい、実際には適用が困難であるという問題があった。
【０００５】
この発明は、上述のような課題を解決するためになされたもので、安全装置の短絡が不要で、通常の走行範囲で試験ができるとともに、長尺物でも可燃物でもなく、着脱が簡単で取り扱いが容易なエレベータ用緩衝器の復帰試験装置を提供するものである。
【課題を解決するための手段】
【０００６】
この発明に係るエレベータ用緩衝器の復帰試験装置においては、エレベータのかごと、つり合いおもりと、かご及びつり合いおもりを吊り下げて、両者を互いに逆方向に昇降移動させる主ロープと、かごの下部とつり合いおもりの下部との間に連結され、かごの昇降移動に伴う主ロープの重量アンバランスを補償するつり合いロープとが設けられたエレベータ用緩衝器の復帰試験装置であって、緩衝器の復帰試験時につり合いロープに着脱自在に取り付けられる取付部と、取付部に設けられ、緩衝器の復帰試験時にかごの通常走行範囲内で下降して緩衝器を上から圧縮する圧縮片と、取付部をつり合いロープに着脱自在に取り付けるための取付手段とを備えたものである。
【０００７】
また、取付部は、つり合いロープが配設される方向と平行な垂直面部と、垂直面部の両側からつり合いロープ側に折り曲げられ、つり合いロープを内側に収容する両側面部と、両側面部の反圧縮片側に互いに対向して設けられた当て板挿入孔とから構成され、取付手段は、当て板挿入孔に差し込まれ、つり合いロープの反圧縮片側に当接される当て板である。
【０００８】
また、垂直面部の背面中央部に、複数本のつり合いロープを左右均等に振り分ける仕切り板を設けたものである。
【０００９】
また、垂直面部の背面のつり合いロープに当接する部分には弾性体を設けたものである。
【００１０】
また、当て板のつり合いロープに当接する部分には弾性体を設けたものである。
【００１１】
また、圧縮片は、取付部の垂直面部に水平方向に突出して支持され、緩衝器の復帰試験時に緩衝器の頭部に接触して上から圧縮する平坦面部と、平坦面部の両側から下向きに折り曲げられ、緩衝器の直径と同等の内幅寸法を有して緩衝器の頭部を内側に収容する両側面部とから構成されたものである。
【発明の効果】
【００１２】
この発明によれば、安全装置の短絡が不要であり、かごの通常走行範囲内でエレベータ用緩衝器の復帰試験を実施できるとともに、長尺物を使用する必要がなく、また可燃物でもない。またつり合いロープへの着脱が簡単で取り扱いが容易であるという効果がある。
【図面の簡単な説明】
【００１３】
【図１】この発明の実施例１におけるエレベータ用緩衝器の復帰試験装置を備えたエレベータ装置の全体構成を示す概略構成図である。
【図２】この発明の実施例１におけるエレベータ用緩衝器の復帰試験装置の要部構造を示す側面図である。
【図３】この発明の実施例１におけるエレベータ用緩衝器の復帰試験装置の要部構造を示す平面図である。
【図４】この発明の実施例１におけるエレベータ用緩衝器の復帰試験装置の要部構造を示す斜視図である。
【図５】この発明の実施例１におけるエレベータ用緩衝器の復帰試験装置の要部構造を分解して示す斜視図である。
【発明を実施するための形態】
【実施例１】
【００１４】
図１において、１はエレベータのかご、２はかご１の上部に設けられたかご吊り車、３はつり合いおもり、４はつり合いおもり３の上部に設けられたつり合いおもり吊り車、５は巻上機、６はそらせ車、７は一端が昇降路上部に固定されて、かご吊り車２、巻上機５、そらせ車６、つり合いおもり吊り車４に巻き掛けられた主ロープで、その他端は昇降路上部に固定されており、かご１及びつり合いおもり３を互いに逆方向に昇降移動させる。８は昇降路の上部に設けられた調速機、９は昇降路の下部に設けられたガバナーロープ張り車、１０は調速機８及びガバナーロープ張り車９に巻き掛けられたガバナーロープ、１１はつり合いおもり３の直下の昇降路下部に設けられたエレベータ用緩衝器である。なお、図示しないが、かご１の直下の昇降路下部にはかご側のエレベータ用緩衝器が設けられている。１２はかご１の下端部及びつり合いおもり３の下端部の間に連結されたつり合いロープで、例えば高速エレベータのように昇降行程が長く、かご１の昇降移動に伴う主ロープ７の重量アンバランスを補償する必要がある場合に設けられるものである。１３は昇降路の下部に設けられたつり合い車で、つり合いロープ１２が巻き掛けられている。１４はつり合いロープ１２に着脱自在に取り付けられるエレベータ用緩衝器１１の復帰試験装置である。なお、エレベータ用緩衝器１１の復帰試験装置１４は、つり合いロープ１２に対して着脱自在であるので、つり合いおもり側のエレベータ用緩衝器の復帰試験装置としても、またかご側のエレベータ用緩衝器の復帰試験装置としても利用することができる。
【００１５】
図２〜図５は復帰試験装置１４の構造を示すものである。１５はエレベータ用緩衝器１１のバッファプランジャー、１６は復帰試験時に下降してバッファプランジャー１５の頭部を上から押圧する復帰試験装置１４の圧縮片で、その側面視が略コ字状を呈している。この圧縮片１６は、バッファプランジャー１５の頭部に先端部中央が接触する平坦面部１６ａと、この平坦面部１６ａの両側から下向きに折り曲げられて、上記バッファプランジャー１５の直径と略同等の内幅寸法を有して、バッファプランジャー１５頭部を内側に収容する両側面部１６ｂとから構成されている。１７はつり合いロープ１２に着脱自在に取り付けられる復帰試験装置１４の取付部で、その平面視がコ字状を呈している。この取付部１７は、圧縮片１６を水平方向に突出して支持し、複数のつり合いロープ１２が配設される方向と平行に延びる垂直面部１７ａと、この垂直面部１６ａの両側からつり合いロープ１２側に横向きに折り曲げられて、上記つり合いロープ１２を内側に収容する両側面部１７ｂと、この両側面部１７ｂの下端部の反圧縮片１６側に互いに対向するように設けられた当て板挿入孔１７ｃと、垂直面部１７ａの背面中央部に設けられ、つり合いロープ１２を左右均等に振り分けることにより、圧縮片１６の傾きを防止する仕切り板１７ｄとから構成されている。１８は垂直面部１７ａの背面壁のつり合いロープ１２に当接する部分に貼り付けられたゴム等からなる弾性体、１９は両側面部１７ｂの下端部の反圧縮片１６側に互いに対向するように設けられた当て板挿入孔１７ｃ間に差し込まれる当て板からなる取付手段で、つり合いロープ１２の反圧縮片１６側に当接される。２０は当て板１９のつり合いロープ１２側に貼り付けられたゴム等からなる弾性体である。
【００１６】
次に、エレベータ用緩衝器の復帰試験装置の動作試験について説明する。
先ず、エレベータ用緩衝器１１のバッファプランジャー１５の復帰時間確認のために、つり合いロープ１２に復帰試験装置１４を着脱自在に取り付ける。この場合、復帰試験装置１４の取付部１７の垂直面部１７ａ背面と両側面部１７ｂとの間につり合いロープ１２を収容した後、両側面部１７ｂの下端部の反圧縮片１６側に互いに対向するように設けられた当て板挿入孔１７ｃ間に当て板１９を差し込むことにより取り付け固定する。この時、つり合いロープ１２は取付部１７と当て板１９との間に挟持固定され、かつ垂直面部１７ａの背面壁のつり合いロープ１２が当接する部分には、ゴム等からなる弾性体１８が貼り付けられており、また、当て板１９のつり合いロープ１２側にもゴム等からなる弾性体２０が貼り付けられているので、復帰試験装置１４はつり合いロープ１２に強固に取り付けられることになる。したがって、かご１を通常の走行範囲内で上下方向に昇降させるだけで、復帰試験装置１４の圧縮片１６を下降させることにより、エレベータ用緩衝器１１のバッファプランジャー１５を全圧縮することが可能となる。なお、復帰試験装置１４はつり合いロープ１２に着脱自在に取り付けられるので、かご側緩衝器及びつり合いおもり側緩衝器の双方の復帰試験を行うことができる。
【００１７】
この発明によれば、従来の安全装置を短絡する方法のように、普段は通らないようなガイドレールの個所を昇降体が通過することが無いため、ガイドレールの汚れた部分により故障を誘発することが無い。また、角材を使用しないので可燃物の問題もない。また、高速エレベータ用緩衝器では、バッファストロークが非常に長くなるが、それでも容易に対応することができる。
【符号の説明】
【００１８】
１  エレベータのかご
２  かご吊り車
３  つり合いおもり
４  つり合いおもり吊り車
５  巻上機
６  そらせ車
７  主ロープ
８  調速機
９  ガバナーロープ張り車
１０  ガバナーロープ
１１  エレベータ用緩衝器
１２  つり合いロープ
１３  つり合い車
１４  復帰試験装置
１５  緩衝器のバッファプランジャー
１６  復帰試験装置の圧縮片
１６ａ  平坦面部
１６ｂ  両側面部
１７  復帰試験装置の取付部
１７ａ  垂直面部
１７ｂ  両側面部
１７ｃ  当て板挿入孔
１７ｄ  仕切り板
１８、２０  弾性体
１９  当て板（取付手段）
【図１】
2010247942.tif 000003
【図２】
2010247942.tif 000004
【図３】
2010247942.tif 000005
【図４】
2010247942.tif 000006
【図５】
2010247942.tif 000007